(57)【要約】【課題】ディスク装置などにおいてキャリッジの回動範囲を制限するストッパの変形、抜けなどを防止する。【解決手段】ストッパ１１は、トップヨーク８に設けられた透孔１４に嵌め込まれキャリッジ５と当接される部分である軸部１０ａと、この軸部１０ａの一端部に同軸的に設けられたフランジ部１０ｂと、軸部１０ａの周面より突出されフランジ部１０ｂとの間で透孔の周辺のトップヨーク８を厚み方向に挟持する保持突起部１２とを有する。キャリッジ５が軸部１０ａに衝突した際に軸部１０ａに加わる力を、保持突起部１２を介してトップヨーク８の透孔１４周辺の面で受ける。【選択図】　　　図５
2004095011.tif 000002
【特許請求の範囲】
【請求項１】
ディスク状の記憶媒体から情報を読み出すヘッド素子を前記ディスクに対して移動自在に支持するキャリッジと、
前記キャリッジを駆動する、透孔を有するヨークを含むボイスコイルモータと、
前記ヨークに取り付けられ、前記ボイスコイルモータによって駆動された前記キャリッジの回動範囲を規制するストッパであって、前記ヨークの前記透孔に嵌め込まれ前記キャリッジと当接される部分である軸部と、この軸部の一端部に同軸的に設けられ該軸部より大径のフランジ部と、前記軸部の周面より突出され前記フランジ部との間で前記透孔の周辺のヨークを厚み方向に挟持する保持突起部とを有するストッパと、
を具備することを特徴とするディスク装置。
【請求項２】
前記ヨークの前記透孔が、前記ストッパの前記保持突起部を挿通可能な孔部を含むことを特徴とする請求項１に記載のディスク装置。
【請求項３】
前記ヨークが、前記ストッパ部の前記保持突起部と当接して前記軸部の回転の位置を決める位置決め突起を有することを特徴とする請求項１または２に記載のディスク装置。
【請求項４】
前記ストッパの少なくとも前記軸部が弾性部材からなることを特徴とする請求項１ないし３のいずれか１項に記載のディスク装置。
【請求項５】
ディスク状の記憶媒体から情報を読み出すヘッド素子を前記ディスクに対して移動自在に支持するキャリッジと、前記キャリッジを駆動する、透孔を有するヨークを含むボイスコイルモータとを備えるディスク装置に用いられ、前記ヨークに取り付けられ、前記ボイスコイルモータによって駆動された前記キャリッジの回動範囲を規制するキャリッジストッパであって、
前記ヨークの前記透孔に嵌め込まれ前記キャリッジと当接される部分である軸部と、
この軸部の一端部に同軸的に設けられ該軸部より大径のフランジ部と、
前記軸部の周面より突出され前記フランジ部との間で前記透孔の周辺のヨークを厚み方向に挟持する保持突起部と
を具備することを特徴とするキャリッジストッパ。
【発明の詳細な説明】
【０００１】
【発明の属する技術分野】
本発明は、ハードディスクドライブなどのディスク装置と、このディスク装置に用いられるキャリッジストッパに関する。
【０００２】
【従来の技術】
磁気ディスク装置は、ディスクを支持しかつ駆動する手段であるスピンドルモータと、このスピンドルモータに支持され駆動されるディスクに対して信号の読み書きを行う磁気ヘッドをディスクの半径方向へ移動させるためのアーム形のキャリッジとを主要な構成として備える。
【０００３】
キャリッジにはボイスコイルが取り付けられており、このボイスコイルに通電することで、このボイスコイルに流れる電流と一対のヨークと永久磁石とによって形成された垂直磁界との作用によりボイスコイルを動作させる力が発生し、キャリッジが軸受けまわりに回動する。すなわち、ボイスコイルは、一対のヨーク（トップヨークとロワーヨーク）の間で垂直磁界の磁力線をきる方向に移動するようになっている。
【０００４】
磁気ディスク装置では、たとえばスタンバイ状態に移行する際、ヘッドをディスクの外周側へ移動させ、ディスクの記録領域から離間した位置にてランプと呼ばれる部材に保持させるヘッド・アンロードが行われる。この際、ヘッド（タブ部分）がランプの傾斜を上った先の凹みに安定に保持されるよう、キャリッジは通常のシーク時よりも大きな力で回動される。このため、ヘッド（タブ部分）がランプに保持されたところでキャリッジをストッパに当ててキャリッジの回動を強制的に停止させることが行われている。
【０００５】
また、これと同様のストッパが、ヘッドをディスクの内周側へ移動させる際のキャリッジの回動停止位置を決めるものとしても利用されている。
【０００６】
このストッパは、トップヨークに設けられた透孔に、ゴム製ブッシュ部材や軸部材を嵌め込んだ構造のものが一般であり、トップヨークから突出させた部分でキャリッジの回動を規制し、かつキャリッジ衝突時の衝撃を緩和するように機能する。
【０００７】
【発明が解決しようとする課題】
しかしながら、特にストッパとしてゴムのような弾性材料よりなるものを使用した場合、ストッパにキャリッジが勢いよく衝突することが繰り返されると、ストッパの変形や倒れが生じたり、ストッパがヨークの取付孔から抜ける方向に上昇するなどして、最悪の場合は抜け落ちてしまうおそれがあった。
【０００８】
本発明は前記のような課題を解決するものであり、キャリッジとの衝突の繰り返しに対して変形や抜けなどを防止し、ストッパとしての機能を安定に保つことのできるディスク装置とキャリッジストッパを提供することを目的とする。
【０００９】
【課題を解決するための手段】
前記目的達成のために、請求項１の発明にかかるディスク装置は、ディスク状の記憶媒体から情報を読み出すヘッド素子を前記ディスクに対して移動自在に支持するキャリッジと、前記キャリッジを駆動する、透孔を有するヨークを含むボイスコイルモータと、前記ヨークに取り付けられ、前記ボイスコイルモータによって駆動された前記キャリッジの回動範囲を規制するストッパであって、前記ヨークの前記透孔に嵌め込まれ前記キャリッジと当接される部分である軸部と、この軸部の一端部に同軸的に設けられ該軸部より大径のフランジ部と、前記軸部の周面より突出され前記フランジ部との間で前記透孔の周辺のヨークを厚み方向に挟持する保持突起部とを有するストッパとを具備するものである。これにより、キャリッジの衝突を受けてもストッパ自体がヨークの取付部位で浮き上がったり、倒れたり、抜け落ちたりするのを防止できる。
【００１０】
また、この発明にかかるディスク装置において、前記ヨークの前記透孔は、前記ストッパの前記保持突起部を挿通可能な孔部を含むものであってよく、加えて、前記ヨークは、前記ストッパ部の前記保持突起部と当接して前記軸部の回転の位置を決める位置決め突起を有するものであってよい。
【００１１】
位置決め突起によって決められる軸部の回転の位置とは、たとえば、キャリッジからの押圧を軸部が受けた際に、軸部に加わった力を保持突起部を介してヨークの透孔周辺の面で支えることのできる位置である。より具体的には、軸部とキャリッジとが接触する位置に対して１８０度反対側の位置に保持突起部がくる位置が最適であり、これにより、ストッパの変形、倒れ、浮き上がりを防止する効果が最大限に発揮される。
【００１２】
【発明の実施の形態】
以下に、本発明の実施の形態を図面に基づいて説明する。
【００１３】
図１は本発明のディスク装置を採用した実施の一形態である磁気ディスク装置の構成を示す斜視図である。
【００１４】
同図において、１は直方体の剛体のケースで、このケース１には図示しないカバーが被せられて密閉空間を形成する。このケース１内には磁気ディスク２が設置され、この磁気ディスク２がその中心軸部に連結されたスピンドルモータ３によって駆動回転可能とされている。なお、磁気ディスク２の表面は磁気的に区分されて、番地情報が付与された領域にディジタル情報が記録可能となっている。
また、ケース１の底部には枢軸４が立設されており、この枢軸４には磁気ヘッド用の可動アクチュエータとしてのキャリッジ５が回動可能に支承されている。これによりキャリッジ５の先端に取り付けられた磁気ヘッド６が磁気ディスク２上を半径方向に円弧を描きながら移動し、磁気ディスク２に対して情報の読み書きを行い得るようになっている。
【００１５】
さらに、キャリッジ５において、磁気ヘッド６が取り付けられている側とは反対側の端部にはボイスコイル７が取り付けられ、このボイスコイル７はケース１に固定された一対のヨークである板状のトップヨーク８およびロワーヨーク９の間に位置している。また、これらのトップヨーク８およびロワーヨーク９の各対向面には磁石がそれぞれ固定されている。これら各ヨーク８，９、磁石およびボイスコイル７によってボイスコイルモータが構成されている。
【００１６】
このボイスコイルモータでは、ボイスコイル７に流れる電流と、各ヨーク８，９の磁石の間に形成された垂直磁界との作用によってボイスコイル７が垂直磁界の磁力線をきる方向に移動する。これによりキャリッジ５が枢軸４を中心として時計方向または反時計方向に回動する。
【００１７】
次に、トップヨーク８に取り付けられたストッパ１０、１１について説明する。
【００１８】
トップヨーク８にはキャリッジ５の回動範囲を規制するためのストッパ１０、１１が取り付けられている。これらのストッパ１０、１１は、たとえばゴムや合成ゴムなどの弾性材料からなる。
【００１９】
ストッパ１１は、たとえばスタンバイモードへの移行時に磁気ヘッド６が磁気ディスク２の外周側へ向かって移動されてランプ１９に保持される際に、キャリッジ５と当接してキャリッジ５の回動を停止させる役割を担っている。
【００２０】
また、ストッパ１０は、逆に磁気ヘッド６が磁気ディスク２の内周側へ向かって移動される際にキャリッジ５の回動停止位置を決める役割をもつ。
【００２１】
なお、図１において、１６はフレキシブル基板ユニット、１７はフレキシブル基板ユニット上に実装されたドライバＩＣなどの電子部品、１８はフレキシブル基板ユニット１６とキャリッジ５とを電気的に接続するフレキシブルプリント基板である。
【００２２】
次に、図２、図３および図４を参照して、前記ストッパ１０、１１の構成についてさらに説明する。
【００２３】
なお、各ストッパ１０、１１は同一形状であるため、以下ではストッパ１０についてのみ説明する。
【００２４】
ストッパ１０は、トップヨーク８の透孔１４（図５参照）に嵌め込まれキャリッジ５と当接される部分である軸部１０ａと、この軸部１０ａの一端部に同軸的に設けられ該軸部１０ａより大径のフランジ部１０ｂとを備える。また、軸部１０ａの外周には、フランジ部１０ｂに対して所定の間隙をおいて板状の保持突起部１２が突設されている。この保持突起部１２の側縁は、軸部１０ａの外周からの突出量が徐々に小さくなるテーパ形状ｐに形成されており、トップヨーク８に設けられた透孔１４（図５参照）への挿入を容易にしている。また、フランジ部１０ｂの端面（上面）には軸部１０ａを回動操作する工具、例えばドライバの先を嵌合するための嵌合溝１３が設けられている。
【００２５】
図５にストッパ１０を取り付ける透孔１４を持ったトップヨーク８の一部を示す。同図に示すように、透孔１４はストッパ１０の軸部１０ａが挿入可能な丸孔部１４ａと、この丸孔部１４ａに連続して設けられ、ストッパ１０の保持突起部１２が挿入可能な矩形孔部１４ｂとからなり、全体として鍵穴形状またはこれに類似する形状をなす。
【００２６】
また、図６、図７に示すように、トップヨーク８の下面の、矩形孔部１４ｂとは反対側の丸孔部１４ａ周辺には、ストッパ１０をトップヨーク８に取り付ける際に保持突起部１２の回転方向の位置決めを行うための位置決め突起１５が設けられている。
【００２７】
図６に、ストッパ１０のトップヨーク８に対する取付構造を示す。
【００２８】
まず、ストッパ１０の軸部１０ａおよび保持突起部１２をトップヨーク８に形成された透孔１４の丸孔部１４ａおよび矩形孔部１４ｂにそれぞれ上方から挿入する。このときストッパ１０のフランジ部１０ｂの下面が透孔１４周辺のトップヨーク８の上面に接触するまでストッパ１０を挿入する。
【００２９】
続いて、フランジ部１０ｂ上面に設けられた嵌合溝１３にドライバの先を嵌合し、保持突起部１２が点線で示す位置から矢印Ｒ方向に回動操作する。このストッパ１０の回動操作は、軸部１０ａの保持突起部１２の側面がトップヨーク８の下面に突設させた位置決め突起１５の側面に当接するまで行われ、この結果、保持突起部１２が、軸部１０ａとキャリッジ５との接触位置に対して１８０度反対側の位置にくる。
【００３０】
ストッパ１０の回動操作が完了した時点では、トップヨーク８の透孔１４周辺の一部がフランジ部１０ｂと保持突起部１２との間で挟持された状態になっている。
【００３１】
このため、図８に示すように、キャリッジ５が軸部１０ａに矢印Ｑ方向より衝突した際に軸部１０ａに加わる力は、軸部１０ａを矢印Ｓ方向に倒そうとするモーメントを発生させるが、その軸部１０ａに加わった力は保持突起部１２を介してトップヨーク８の透孔１４周辺の面で支えられるので、軸部１０ａの倒れに対して反対向きのモーメントが発生する。したがって、ストッパ１０の変形、倒れ、透孔１４からの浮き上がりを防止することができる。
【００３２】
以上説明したように、この実施形態のディスク装置によれば、キャリッジ５の衝突を受けてもストッパ１０がトップヨーク８の透孔１４で浮き上がったり、倒れたり、外れたりするのを防止できる。
【００３３】
また、ストッパ１０のフランジ部１０ｂの端面にドライバなどの工具の先を適合させる嵌合溝１３を設けたことで、ストッパ１０の回動操作を容易に行うことができる。
【００３４】
さらに、トップヨーク８にストッパ１０の保持突起部１２の回転位置を決める位置決め突起１５を設けたことで、保持突起部１２を正確かつ容易に位置決めすることができ、ストッパ１０の変形、倒れ、透孔１４からの浮き上がりなどの防止効果を確実に得ることができる。
【００３５】
また、図示しないが、ストッパ１０の保持突起部１２を一部で変形し易い半矢尻形状とすることにより、ストッパ１０を矩形孔１４ｂのない透孔１４に差し込む（圧入する）だけで、つまり、ストッパ１０を回転操作せずに、そのストッパ１０のトップヨーク８への組み付けを容易に行うことができる。
【００３６】
なお、本発明は上述したいずれの実施形態にも限定されず、本発明の技術思想の範囲内で適宜変更して実施できる。
【００３７】
前記実施形態では、本発明を磁気ディスク装置に適用したものについて説明したが、磁気ディスク以外のディスク状の記憶媒体を用いたディスク装置にも本発明は適用することが可能である。
【００３８】
【発明の効果】
以上のように、本発明によれば、キャリッジとの衝突の繰り返しに対してストッパの変形、倒れ、抜けなどを防止でき、ストッパとしての機能を安定に保つことのできるディスク装置を提供することができる。
【図面の簡単な説明】
【図１】本発明の実施の一形態による磁気ディスク装置を示す斜視図である。
【図２】図１に示すストッパの平面図である。
【図３】図２に示すストッパの正面図である。
【図４】図２に示すストッパの側面図である。
【図５】本発明におけるストッパのトップヨークに対する嵌合手順を示す一部の斜視図である。
【図６】本発明におけるストッパのトップヨークに対する嵌合構造を示す一部の正面図である。
【図７】本発明における保持突起部と位置決め突起との接触状態を示す正面図である。
【図８】本発明によるストッパの保持突起部による倒れ防止効果を示す説明図である。
【符号の説明】
１・・・・ケース、２・・・・磁気ディスク、５・・・・キャリッジ、６・・・・磁気ヘッド、７・・・・ボイスコイル、８・・・・トップヨーク、１０，１１・・・・ストッパ、１０ａ・・・・軸部、１０ｂ・・・・フランジ部、１２・・・・保持突起部、１３・・・・嵌合溝、１４・・・・透孔、１４ａ・・・・丸孔部、１４ｂ・・・・矩形孔部、１５・・・・位置決め突起
【図１】
2004095011.tif 000003
【図２】
2004095011.tif 000004
【図３】
2004095011.tif 000005
【図４】
2004095011.tif 000006
【図５】
2004095011.tif 000007
【図６】
2004095011.tif 000008
【図７】
2004095011.tif 000009
【図８】
2004095011.tif 000010